(57)【要約】      （修正有）【課題】水路の内壁面に人がよじ登るための手がかりを設けた組立柵渠を提供する。【解決手段】水路を構成するための組立柵渠１であって、水路の長手方向に沿って配置される少なくとも２つの一対の柱体７、８と、一対の柱体の間に設けられる壁体を有し、壁体は、板状に形成したコンクリート製の柵渠板３、４を複数毎積み上げて構成したものであり、積み上げた何れかの柵渠板の間であって柵渠板の表面から奥に凹んだ位置に、柵渠板よりも高さが低く厚みの薄いコンクリート製の棒状体５を配置することで段部を形成した。【選択図】図２
0003230431.tif 000002
【実用新案登録請求の範囲】
【請求項１】
水路を構成するための組立柵渠であって、
水路の長手方向に沿って配置される少なくとも一対の柱体と、
当該一対の柱体の間に設けられる壁体を有し、
当該壁体は、板状に形成したコンクリート製の柵渠板を複数毎積み上げて構成したものであり、
当該積み上げた何れかの柵渠板の間であって当該柵渠板の表面から奥に凹んだ位置に、当該柵渠板よりも高さが低く厚みの薄いコンクリート製の棒状体を配置することで段部を形成したことを特徴とする組立柵渠。
【請求項２】
水路を構成するための組立柵渠であって、
水路の長手方向に沿って配置される少なくとも一対の柱体と、
当該一対の柱体の間に設けられる壁体を有し、
当該壁体を板状に形成したコンクリート製の柵渠板と当該柵渠板よりも高さが低く厚みの薄いコンクリート製の棒状体を前記柵渠板の表面から奥に凹んだ位置に配置した状態で交互に積み重ねることによって段部を形成したことを特徴とする組立柵渠。
【請求項３】
水路を構成するための組立柵渠であって、
対向する一対の柱体を設けたＵ字形状の外観を有する水路の流れ方向に沿って配置された複数の柵渠枠と、
隣り合って配置した柵渠枠の柱体の間に設けられる壁体を有し、
当該壁体を板状に形成したコンクリート製の柵渠板と当該柵渠板よりも高さが低く厚みの薄いコンクリート製の棒状体を前記柵渠板の表面から奥に凹んだ位置に配置した状態で交互に積み重ねることによって段部を形成したことを特徴とする組立柵渠。
【請求項４】
水路を構成するための組立柵渠であって、
水路の長手方向に沿って配置される少なくとも一対の柱体と、
当該一対の柱体の間に設けられる壁体を有し、
当該壁体は、板状に形成したコンクリート製の柵渠板を複数毎積み上げて構成したものであり、
当該積み上げた何れかの柵渠板の間であって当該柵渠板の表面から奥に凹んだ位置に、当該柵渠板よりも高さが低く厚みの薄いコンクリート製の棒状体を配置することで段部を形成し、
前記棒状体は、高さが100mmあることを特徴とする組立柵渠。
【考案の詳細な説明】
【技術分野】
【０００１】
本考案は、組立柵渠（くみたてさっきょ）に関するものである。
【背景技術】
【０００２】
水路を形成する方法として特許文献１、特許文献２に記載されている組立柵渠を用いたものが知られている。組立柵渠は、例えば特許文献１に示されているようにＵ字型支柱の垂直に立ち上がった柱部分に、コンクリート製の側面パネルをはめ込んで積み重ね、これにより水路の内壁面を構成するものである。また、特許文献２にもＵ字状アーム、間塞ブロック板によって構成した組立柵渠が記載されている。
【０００３】
上記従来の組立柵渠は、図４に示したように水路に沿って複数配置されたＵ字型支柱の柱部間に、コンクリート性の側面パネルを複数枚はめ込むようにして上方に重ねることで、一つの内側壁面を構成している。水路の底面からの内側壁面の高さは概ね柱部に支持された側面パネルの数によって決定されるものであり、側面パネルの表面（水路内側）は凹凸のない平坦な壁面として形成されている。
【先行技術文献】
【特許文献】
【０００４】
【特許文献１】特開２００７−２０５１４２号公報
【特許文献２】特開２０００−１６０５３７号公報
【考案の概要】
【考案が解決しようとする課題】
【０００５】
上記のような従来の組立柵渠は、水路の内面壁の表面が平坦であるため、水路内に人が落ちた場合に、内面壁に取り付くための凹凸が無いため壁面をよじ登ることが困難である。本発明は当該事情に鑑み考案されたものであって、水路の内壁面に人がよじ登るために使用できる手がかりを設けた組立柵渠を提供することを課題とするものである。
【課題を解決するための手段】
【０００６】
水路を構成するための組立柵渠であって、
水路の長手方向に沿って配置される少なくとも一対の柱体と、
当該一対の柱体の間に設けられる壁体を有し、
当該壁体は、板状に形成したコンクリート製の柵渠板を複数毎積み上げて構成したものであり、
当該積み上げた何れかの柵渠板の間であって当該柵渠板の表面から奥に凹んだ位置に、当該柵渠板よりも高さが低く厚みの薄いコンクリート製の棒状体を配置することで段部を形成したことを特徴とする組立柵渠である。
【０００７】
水路を構成するための組立柵渠であって、
水路の長手方向に沿って配置される少なくとも一対の柱体と、
当該一対の柱体の間に設けられる壁体を有し、
当該壁体を板状に形成したコンクリート製の柵渠板と当該柵渠板よりも高さが低く厚みの薄いコンクリート製の棒状体を前記柵渠板の表面から奥に凹んだ位置に配置した状態で交互に積み重ねることによって段部を形成したことを特徴とする組立柵渠である。
【０００８】
水路を構成するための組立柵渠であって、
対向する一対の柱体を設けたＵ字形状の外観を有する水路の流れ方向に沿って配置された複数の柵渠枠と、
隣り合って配置した柵渠枠の柱体の間に設けられる壁体を有し、
当該壁体を板状に形成したコンクリート製の柵渠板と当該柵渠板よりも高さが低く厚みの薄いコンクリート製の棒状体を前記柵渠板の表面から奥に凹んだ位置に配置した状態で交互に積み重ねることによって段部を形成したことを特徴とする組立柵渠である。
【０００９】
水路を構成するための組立柵渠であって、
水路の長手方向に沿って配置される少なくとも一対の柱体と、
当該一対の柱体の間に設けられる壁体を有し、
当該壁体は、板状に形成したコンクリート製の柵渠板を複数毎積み上げて構成したものであり、
当該積み上げた何れかの柵渠板の間であって当該柵渠板の表面から奥に凹んだ位置に、
当該柵渠板よりも高さが低く厚みの薄いコンクリート製の棒状体を配置することで段部を形成し、
前記棒状体は、高さが100mmあることを特徴とする組立柵渠である。
【考案の効果】
【００１０】
本考案に係る組立柵渠は、構成した水路の内面壁に手掛りと足掛かり用の段部を有したものであり、水路に人が落下した場合に上りやすい壁面を構成することができるという効果を有している。また、ラダー等を設けるよりも経済的であり施工も容易である。
【図面の簡単な説明】
【００１１】
【図１】本考案に係る組立柵渠を構成する構成部材を表した説明図である。
【図２】各部材を組み合わせて形成した組立柵渠の一例を表した説明図である。
【図３】本考案に係る組立柵渠の断面図である。
【図４】従来の組立柵渠の断面図である。
【考案を実施するための形態】
【００１２】
以下、本考案を実施するための形態について説明する。
図１は、本考案に係る組立柵渠１を構成する構成部材を表した説明図である。組立柵渠１は、Ｕ字形状の外観を有する柵渠枠２と壁面を形成する柵渠板３、４および柵渠板３、４の間に配置される棒状体５によって構成される。これらの部材は、コンクリートによって形成される。
柵渠枠２は水路内を流れる水の流れ方向に亘って複数個配置されるものであり、水平に配置される基底部６と基底部６の両側において垂直に起立させた対向する一対の柱体７，８から構成されるものである。基底部６の長さは、概ね建設する水路の幅によって定められるものであり、柱体７，８の高さは水路の深さに応じて定められるものである。柵渠枠２の寸法的なサイズは、予め業界標準の規格品として製造されているものの中から選択して使用される。
【００１３】
図１に示した柵渠枠２は一例として基底部６の長さが1680ｍｍ、柱体７，８の高さが1420ｍｍ、基底部６の高さが220ｍｍ、幅は180ｍｍのものを示している。この寸法の柵渠枠２を用いた場合、幅が1200ｍｍ、深さが1200ｍｍの水路が形成される。なお、柵渠枠２の寸法形状は、設ける水路の幅と深さに応じて選定されるものであり、幅が数ｍ、日本人の平均身長を超えた1800ｍｍを超える深さを有した水路を構成するものでもよい。
【００１４】
柵渠枠２自体は従来から用いられている規格品であって、柱体７，８の水路側の側面は垂直若しくはやや傾斜した平坦面１０として形成されており、下方部分１１は傾斜を伴いながら基底部６の上面になだらかに接続された形状を有している。
柱体７，８の裏側（反水路側）には、上端から基底部６の端縁部分１３に至って中央部を突出させたフランジ状の支持部１４が設けられ、この支持部１４と水路側の側面に平坦面１０を形成した立板部１５によって水平方向の断面が略Ｔ字形状を成すように形成されている。
支持部１４と立板部１５の間には、上端から基底部６に亘って、直角若しくは直角よりもやや鈍角の内角を有する切欠部１６が形成されている。切欠部１６は、柵渠板３、４および棒状体５と係合し保持する部位となっている。
【００１５】
次に、水路の壁面を構成する柵渠板３、４および棒状体５について説明する。
柵渠板３は、壁面の最下部に用いる略矩形の板状体であり、左右両端部に肉厚の略半分の厚みを有するフランジ１７を突出させて設けたものである。図示した例の実寸法は肉厚が100mm、長手方向の全長（幅）が1410mmである。フランジ１７は柵渠枠２の柱体７、８に形成した切欠部１６に係合させる部分であり、下端部分１８は基底部６の上面１２に当接するように構成されている。
柵渠枠２は、水路の上流から下流に向かって複数設けられるものである。このように設けた柵渠枠２は、隣り合う２つの柵渠枠２ごとに水路の内壁面を構成する柵渠板３、柵渠板４および棒状体５を支持するための一対の柱体（７，７）（８，８）を提供する。
柵渠板３の縁部から突出したフランジ１７の厚さと突出量は共に50mmである。また、柵渠板３の下縁は下端部分１８よりも下方に突出しており、基底部６の上面１２よりも下方において壁面の下端を形成するようになっている。
柵渠板３の裏面には、重量を軽減するための凹部が設けられている。
【００１６】
柵渠板４は、左右両端部に肉厚の略半分の厚みを有するフランジ２０を突出させた板状体である。図示した例の実寸法は高さが200mm、肉厚が100mm、長手方向の全長（幅）が1410mmである。肉厚と全長は、前述した柵渠板３と同一のものが用いられる。縁部から突出したフランジ２０の厚さと突出量は共に50mmである。フランジ２０は柵渠枠２の切欠部１６に係合させる部分である。水路の反対面である柵渠板３の裏面には、重量を軽減するための凹部が設けられている。
【００１７】
積み重ねられる柵渠板３と柵渠板４の間および柵渠板４と柵渠板４の間には棒状体５が配置される。棒状体５は断面矩形の角棒であり、高さが100mm、肉厚が60mm、長手方向の全長（幅）が1410mmである。棒状体５の全長は柵渠板３および柵渠板４の全長と同一であり、端部が水路方向において隣り合う一対の柱体（７，７）（８，８）の切欠部１６と係合するように設置される。
なお、壁体の高さの調整を容易にするためには、足掛かり用の段部を形成する棒状体を高さ100mmにすることが好ましい。
【００１８】
柱体７，８を有する柵渠枠２に前述した柵渠板３と柵渠板４を取り付けると、柵渠板３と柵渠板４の水路側の表面は概ね立板部１５の表面と一致する。これに対して棒状体５は、立板部１５の肉厚分だけ柵渠板３や柵渠板４の表面位置から凹んだ位置に配置されることになる。本実施の形態では、柵渠板３や柵渠板４の表面位置から50mm凹んだ位置に棒状体５の表面が露出する形になり、柵渠板３と柵渠板４との継ぎ目位置に段差２２が形成される。この段差２２は、人間が足や手をかける部分として使用される。
【００１９】
本実施の形態に係る組立柵渠は、土壌を掘り下げた土中に設置される組み立て型の柵渠を構成するものである。図２は、各部材を組み合わせて形成した組立柵渠を表したものであり、実際には掘り下げた土壌の中に配置されるものであるが説明のために周囲を覆う土砂を省略して表したものである。
図２の紙面左を上流側、紙面右を下流側とすると、上流側から複数の柵渠枠２（２ａ、２ｂ、２ｃ、２ｄ、２ｅ）が適正な間隔および姿勢で配置される。適正な間隔とは、装着する柵渠板３、柵渠板４および棒状体５の長さに合わせた寸法値ということである。
図２に示した水路は、一例として従来型の組立柵渠と、本考案に係る組立柵渠を交互に設けた例を表している。もちろん、上流から下流に亘るすべてを本考案に係る組立柵渠にて構成しても差し支えないし、水路の両側面ではなく片側面のみ本考案に係る組立柵渠を構成してもよい。
なお、本実施の形態ではＵ字形状の柵渠枠２を用いているが柵渠板３、柵渠板４および棒状体５を保持することができるものであれば、これに代えて他の手段を用いてもよい。すなわち、土中への埋設や打ち込み等によって、柱体７、８に相当する機能を有した自立した柱体を設けることができるのであれば、柵渠枠２を用いることなくこのような柱体を用いてもよい。
【００２０】
柵渠枠２ａと柵渠枠２ｂの間には、従来型の柵渠板３および柵渠板３０が取り付けられている。柵渠板３は前述した構成のものであり、従来型および本考案に係る組立柵渠に共通して使用されるものである。柵渠板３０は、基本的な構造は柵渠板４と同様に矩形の板状体として形成され、左右の両端にフランジ２０と同様のフランジ３１を設けたものである。すなわち柵渠枠２ａと柵渠枠２ｂの間に構成されている水路内の壁面３２および壁面３２に対向する壁面３３は従来型の組立柵渠として構成されている。これと同様に柵渠枠２ｄと柵渠枠２ｅの間に形成されている壁面３２および壁面３２に対向する壁面３３も従来型の組立柵渠として構成されている。なお、このように従来型の組立柵渠を混在させたりすることは本考案の趣旨に反するものではなく、また必ずしも従来型の組立柵渠を混在させなくてはならないというものではない。
【００２１】
柵渠板４と従来型によく用いられる柵渠板３０の相違点は高さであり、柵渠板４の高さが200mmであるのに対して柵渠板３０の高さは300mmである。柵渠板の高さは、複数枚重ねたときの上端が柵渠枠の柱の上端と丁度一致するように定められるのが理想である。従来型の組立柵渠は、この観点に基づいて使用する規格化された寸法の柵渠枠や柵渠板が選択されるようになっている。
【００２２】
柵渠枠２ｂと柵渠枠２ｃおよび柵渠枠２ｄと柵渠枠２ｅの間は、本考案に係る組立柵渠1を構成している。
組立柵渠1は、柵渠枠２ｂと柵渠枠２ｃ（柵渠枠２ｄと柵渠枠２ｅ）の間において、柵渠板３、柵渠板４および棒状体５を使用して水路側に段差２２を有した壁面２１を構成するものである。具体的には、前述したように最下部に柵渠板３を配置し、その上に順次棒状体５、柵渠板４、棒状体５、柵渠板４、棒状体５、柵渠板４を重ねて壁面２１を構成したものである。
このように、柵渠板３若しくは柵渠板４と棒状体５を交互に重ね合わせることが理想であるが、人が壁面をよじ登ることができるように適所に段差２２を形成すること重要であって、必ずしも交互に設ける必要はない。
【００２３】
上記のように構成した壁面２１の断面を示すと図３のようになる。図３に示すように、棒状体５は、柱体７、８の切欠１６の内面と係合する角棒状の部材であり、水路の内側方向に突出する部位を有していない。このため、柵渠板３および柵渠板４が構成する水路側の壁面よりも凹んだ位置に設けられることになり、棒状体５を設けた部位が凹み段差２２が形成される。この段差２２は、人間が手を掛けたり、足を掛けたりする部位として使用することができるものである。
【００２４】
なお、本実施の形態における棒状体５は、裏面側（水路の反対側）の側面２２が、渠板３、柵渠板４の背面２３よりも突出した形態を成すように形成されている。具体的には、10mmほど突出している。10mmほど突出しているのは、棒状体５の厚みを60mmにして、背面より水路方向に作用する土圧に対する強度を高めるためである。
なお、本実施の形態では、壁面に凹所を形成し段差を設けるために中間体として断面矩形の棒状体５を用いたが、本考案の趣旨に沿った作用効果を生じるものであれば、全長に亘って必ずしも一定の断面形状である必要は無い。
【００２５】
以上、本考案に係る実施の形態を説明したが、これは一例として示したものであって、考案の技術的範囲を限定するものではない。また、例示した各例および技術的要素は、実用新案登録請求の範囲を逸脱しない範囲において適宜組み合わせ、省略、置き換え、変更、追加を伴って使用することができるものであり、これらについても本明細書に記載されているものであり本考案の技術的範囲に属するものである。
【産業上の利用可能性】
【００２６】
本考案の組立柵渠は水路の構成に使用可能である。
【符号の説明】
【００２７】
１組立柵渠
２柵渠枠
３柵渠板
４柵渠板
５棒状体
６基底部
７柱体
８柱体
１０平坦面
１１下方部分
１２上面
１３端縁部分
１４支持部
１５立板部
１６切欠部
１７フランジ
１８下端部分
２０フランジ
２１壁面
２２段差
２３背面
３０柵渠板
３１フランジ
３２壁面
３３壁面
【図１】
0003230431.tif 000003
【図２】
0003230431.tif 000004
【図３】
0003230431.tif 000005
【図４】
0003230431.tif 000006